(57)【特許請求の範囲】
【請求項１】
梁フランジ上に置かれた床板が、当該床板に形成されている貫通孔に装着された床板固定具によって、上記梁フランジに固定される床板固定構造において、上記梁フランジの上面上に上記貫通孔が位置し、この貫通孔の下側で上記梁フランジと上記床板との間に間隙が形成されており、この間隙に上記床板固定具の一部を存在させて上記固定が行われる床板固定構造であって、上記床板固定具は、上記貫通孔に挿入される軸部と、上記軸部を上記床板の上面側で係止する係止部と、上記軸部の下端側に設けられ、上記間隙に位置する連結部と、上記床板の下面側で上記連結部に着脱自在に連結されるとともに上記梁フランジの縁に係合する係合部と、この係合部に装着されており、上記連結部を介して上記係止部を上記梁フランジ側に引き寄せる締結部材と、を備えており、
上記係合部には、当該係合部の差し込み方向と交差する方向に切り込まれたカット部が形成されていることを特徴とする床板固定構造。
【請求項２】
床板を梁フランジに固定する床板固定具において、軸部と、上記軸部の上端側で当該軸部に直交する方向に張り出す係止部と、上記軸部の下端側に設けられており、上記係止部よりも張り出し量が小さくされた連結部と、上記連結部に着脱自在に連結されるとともに、上記梁フランジの縁に係合する係合部と、この係合部に装着されており、上記連結部を介して上記係止部を上記梁フランジ側に引き寄せる締結部材と、を備えており、上記係合部には、当該係合部の差し込み方向と交差する方向に切り込まれたカット部が形成されていることを特徴とする床板固定具。
【請求項３】
床板を梁フランジに固定する床板固定具において、軸部と、上記軸部の上端側で当該軸部に直交する方向に張り出す係止部と、上記軸部の下端側に設けられており、上記係止部よりも張り出し量が小さくされた連結部と、上記連結部に着脱自在に連結されるとともに、上記梁フランジの縁に係合する係合部と、この係合部に装着されており、上記連結部を介して上記係止部を上記梁フランジ側に引き寄せる締結部材と、を備えており、
上記係合部は、上側片と下側片とを備えており、上記締結部材は、上記上側片と上記下側片とに装着され、これら上側片と下側片の間隔を変化させる螺子からなることを特徴とする床板固定具。
【請求項４】
請求項３に記載の床板固定具において、上記下側片が上記締結部材を軸に回動可能であることを特徴とする床板固定具。
【請求項５】
請求項４に記載の床板固定具において、上記上側片には、上記下側片の回動範囲を規制する規制部が設けられていることを特徴とする床板固定具。
【請求項６】
床板を梁フランジに固定する床板固定具において、軸部と、上記軸部の上端側で当該軸部に直交する方向に張り出す係止部と、上記軸部の下端側に設けられており、上記係止部よりも張り出し量が小さくされた連結部と、上記連結部に着脱自在に連結されるとともに、上記梁フランジの縁に係合する係合部と、この係合部に装着されており、上記連結部を介して上記係止部を上記梁フランジ側に引き寄せる締結部材と、を備えており、
上記係合部は、上側片と、下側片と、これら上側片と下側片を繋ぐ繋ぎ片とを備えており、上記締結部材は上記下側片に形成されている螺子孔に螺合された螺子からなることを特徴とする床板固定具。
【請求項７】
請求項３〜請求項６のいずれか１項に記載の床板固定具において、上記係合部には、当該係合部の差し込み方向と交差する方向に切り込まれたカット部が形成されていることを特徴とする床板固定具。
【発明の詳細な説明】
【技術分野】
【０００１】
この発明は、梁フランジ上に置かれた床板が上記梁フランジに固定される床板固定構造および床板固定具に関する。
【背景技術】
【０００２】
特許文献１には、梁フランジ上に置かれた床板が、各床板に形成されている貫通孔に装着された固定金具によって、上記梁フランジに固定される床板固定構造が開示されている。この床板固定構造に用いられる固定金具は、金物基体の下端に回転により傾倒できるフックを備えており、このフックは、上記金物基体に沿う退避位置から、自重で特定の一方向に回動傾倒し、側方に開くことができる。そして、上記金物基体にはボルトが螺合されており、ボルトの回転締め付けにより、座金部材とフックの間に、上記床板と梁フランジとが挟まれて固定される。
【先行技術文献】
【特許文献】
【０００３】
【特許文献１】特開２００１−１４６８０７号公報
【発明の概要】
【発明が解決しようとする課題】
【０００４】
しかしながら、上記固定金具を用いるためには、梁フランジの外側に床板の貫通孔を位置させる必要があるが、梁フランジの上面上に床板の貫通孔が位置することもあり、このような場合には、上記固定金具を用いることができない。
【０００５】
この発明は、上記の事情に鑑み、床板の貫通孔が梁フランジの上面上に位置する場合でも、床板の設置固定が行える床板固定構造および床板固定具を提供する。
【課題を解決するための手段】
【０００６】
この発明の床板固定構造は、上記の課題を解決するために、梁フランジ上に置かれた床板が、当該床板に形成されている貫通孔に装着された床板固定具によって、上記梁フランジに固定される床板固定構造において、上記梁フランジの上面上に上記貫通孔が位置し、この貫通孔の下側で上記梁フランジと上記床板との間に間隙が形成されており、この間隙に上記床板固定具の一部を存在させて上記固定が行われることを特徴とする。
【０００７】
上記の構成であれば、梁フランジの上面上に床板の貫通孔が位置する場合でも、上記固定具を上記貫通孔に装着することができる。
【０００８】
上記床板固定構造における床板固定具は、上記貫通孔に挿入される軸部と、上記軸部を上記床板の上面側で係止する係止部と、上記軸部の下端側に設けられ、上記間隙に位置する連結部と、上記床板の下面側で上記連結部に着脱自在に連結されるとともに上記梁フランジの縁に係合する係合部と、この係合部に装着されており、上記連結部を介して上記係止部を上記梁フランジ側に引き寄せる締結部材と、を備えてもよい。これによれば、この締結部材で上記連結部を上記梁フランジ側に引き寄せて、上記床板の設置固定が行える。また、作業者は、上記床板の上側から上記貫通孔に上記床板固定具の軸部を挿通させた後、上記床板の下側に移動して上記係合部を上記連結部に連結し、その場で上記締結部材を操作して上記床板の固定作業が行えることになる。すなわち、作業者が上記床板の上側に再び移動する必要が無く、効率的に固定作業が行えることになる。
【０００９】
また、この発明の床板固定具は、床板を梁フランジに固定する床板固定具において、軸部と、上記軸部の上端側で当該軸部に直交する方向に張り出す係止部と、上記軸部の下端側に設けられており、上記係止部よりも張り出し量が小さくされた連結部と、上記連結部に着脱自在に連結されるとともに、上記梁フランジの縁に係合する係合部と、この係合部に装着されており、上記連結部を介して上記係止部を上記梁フランジ側に引き寄せる締結部材と、を備えることを特徴とする。
【００１０】
上記の構成であれば、梁フランジの上面上に床板の貫通孔が位置する場合でも、上記床板固定具を上記貫通孔に装着することができ、上記締結部材で上記床板の設置固定を行うことが可能である。また、作業者が上記床板の上側に再び移動する必要が無く、効率的に固定作業が行えることになる。
【００１１】
上記係合部は、上側片と下側片とを備えており、上記締結部材は、上記上側片と上記下側片とに装着され、これら上側片と下側片の間隔を変化させる螺子からなっていてもよい。
【００１２】
上記下側片が上記締結部材を軸に回動可能であってもよい。これによれば、上記下側片の位置をずらすことが可能になり、上記上側片の真下側に障害となる物が存在しても、この障害となる物を避けることができる。
【００１３】
上記上側片には、上記下側片の回動範囲を規制する規制部が設けられていてもよい。これによれば、上記上側片に対する上記下側片の位置が過度にずらされるのを防止することができる。
【００１４】
上記係合部は、上側片と、下側片と、これら上側片と下側片を繋ぐ繋ぎ片とを備えており、上記締結部材は上記下側片に形成されている螺子孔に螺合された螺子からなっていてもよい。
【００１５】
上記係合部には、当該係合部の差し込み方向と交差する方向に切り込まれたカット部が形成されていてもよい。これによれば、上記係合部が上記差し込み方向と反対の方向にずれ落ちようとするのを防止することができる。また、上記カット部が差し込み方向と同方向に形成されていると、係合状態が確認し難い箇所での差し込み不良の問題が生じ易いが、上記のようにカット部が差し込み方向と交差する方向に形成されていると、この交差方向の移動動作も必要になることから、この２つの動作によって、係合不良が生じるのを低減することができる。
【発明の効果】
【００１６】
本発明であれば、床板の貫通孔が梁フランジの上面上に位置する場合でも、床板の設置固定が行えるという効果を奏する。
【図面の簡単な説明】
【００１７】
【図１】本発明の実施形態に係る床板固定構造を示した図であって、同図（Ａ）は概略の平面図であり、同図（Ｂ）は概略の側面図である。
【図２】図１の床板固定構造における床板固定具を拡大して示した斜視図である。
【図３】本発明の他の実施形態に係る床板固定構造を示した図であって、同図（Ａ）は概略の平面図であり、同図（Ｂ）は概略の側面図である。
【図４】図３の床板固定構造の床板固定具の取り付け時を示した図であって、同図（Ａ）は概略の平面図であり、同図（Ｂ）は概略の側面図である。
【図５】同図（Ａ）および同図（Ｂ）は、それぞれ図３の床板固定構造の床板固定具を示した斜視図である。
【図６】同図（Ａ）および同図（Ｂ）は、それぞれ図３の床板固定構造の床板固定具を示した斜視図である。
【図７】本発明の他の実施形態に係る床板固定構造を示した図であって、同図（Ａ）は概略の平面図であり、同図（Ｂ）は概略の側面図である。
【図８】図７の床板固定構造における床板固定具を拡大して示した斜視図である。
【図９】本発明の他の実施形態に係る床板固定構造を示した概略の側面図である。
【発明を実施するための形態】
【００１８】
以下、この発明の実施の形態を添付図面に基づいて説明する。
図１（Ａ）および図１（Ｂ）に示すように、この実施形態にかかる床板固定構造においては、梁フランジ３上に置かれた複数の床板４が、各床板４に形成されている貫通孔４ａに装着された床板固定具１によって、それぞれ上記梁フランジ３に固定される。
【００１９】
また、この例では、上記梁フランジ３は、Ｈ形鋼における上側フランジ部からなり、また、上記床板４は、厚さが１００ｍｍ程度で長方形に形成されたＡＬＣ（Autoclaved Lightweight aerated Concrete）板からなる。上記貫通孔４ａは、例えば、床板４の端面から８０ｍｍ程度の位置に中心が位置するように形成されている。また、上記貫通孔４ａの直径は、例えば、２３ｍｍ程度とされる。また、上記貫通孔４ａが形成されている上部側には、例えば、直径が６０ｍｍ程度の円形で深さが２５ｍｍ程度の座繰り部４ｂが形成されている。
【００２０】
上記梁フランジ３のフランジ幅は、例えば、２００ｍｍ程度とされており、上記梁フランジ３の上方に上記貫通孔４ａが位置する。また、上記梁フランジ３の縁部において、この梁フランジ３と上記床板４との間には、厚さが１０ｍｍ程度の緩衝部材５（ゴム板、発泡体板等）が設けられており、上記貫通孔４ａの下側において上記梁フランジ３と上記床板４との間に間隙が形成されている。
【００２１】
上記床板固定具１は、図２にも示すように、上記床板に形成されている貫通孔４ａに挿入される螺子軸部１１と、上記螺子軸部１１を上記床板４の上面側で係止する係止部１２と、上記螺子軸部１１の下端側に設けられ、上記間隙に位置する連結部１４と、上記床板４の下面側で上記連結部１４に着脱自在に連結されるとともに上記梁フランジ３に係合する係合部１３と、この係合部１３に設けられており、上記連結部１４を介して上記係止部１２を上記梁フランジ３側に引き寄せる締結部材１５と、を備える。
【００２２】
上記螺子軸部１１は、上記連結部１４となる六角形頭部（丸頭等でもよい）を有したボルトからなり、上記六角形頭部を下にして、上記貫通孔４ａに挿通されている。上記六角頭部は上記貫通孔４ａに入る大きさを有している。
【００２３】
上記係止部１２は、座金部１２ａと、この座金部１２ａよりも上記螺子軸部１１の上側で螺合されるナット１２ｂとからなる。上記座金部１２ａは、上記座繰り部４ｂよりも小さく、上記貫通孔４ａよりも大きい円形を有し、上記螺子軸部１１が挿通される孔を有する。上記座金部１２ａは、上記ナット１２ｂと一体であってもよいし、別体にして上記螺子軸部１１に遊嵌されるようにしてもよい。
【００２４】
上記係合部１３は、上記梁フランジ３の上側に位置する上側片１３ａと、上記梁フランジ３の下側に位置する下側片１３ｂとを備えている。そして、上記締結部材１５は、上記梁フランジ３の外側で上記下側片１３ｂに形成されている挿通孔に通されるとともに、上記上側片１３ａに形成されているナット部１３ｆに螺着され、これら上側片１３ａと下側片１３ｂの間隔を変化させる締結部材１５（ボルトを示しているが、これに限らず、ドライバーで回せる螺子等でもよい。）からなる。
【００２５】
上記上側片１３ａには、上記螺子軸部１１が入る大きさで上記連結部１４（六角頭部）よりも小さな幅でカット部１３ｅが形成されており、このカット部１３ｅに上記螺子軸部１１が入り、上記上側片１３ａの下側に上記連結部１４が位置することで、上記係合部１３が上記螺子軸部１１に連結される。また、上記カット部１３ｅは、上記係合部１３の差し込み方向と直交する方向（上記梁フランジ３の長手方向）に切り込まれている。
【００２６】
上記上側片１３ａにおける上記締結部材１５が螺合される部位は、段状に下がって形成されており、上記下側片１３ｂとの間隔を狭めている。また、上記下側片１３ｂが上記締結部材１５を軸にして略水平面内で回動可能になっている。さらに、上記上側片１３ａには、上記下側片の回動範囲を規制する規制部１３ｈが上記上側片１３ａに対する折り曲げ加工により２箇所に形成されている。
【００２７】
上記下側片１３ｂは、その基端側が上記２箇所の規制部１３ｈで挟まれるように位置する。また、上記下側片１３ｂは、その先端側が上記螺子軸部１１の下側に位置できるように設けられる。また、上記下側片１３ｂの先端側の上面部にはゴム板１３ｄが貼り付けられており、このゴム板１３ｄを介して上記下側片１３ｂが上記梁フランジ３の下面に圧接できるようになっている。
【００２８】
上記の構成であれば、梁フランジ３の上面上に床板４の貫通孔４ａが位置する場合でも、上記床板固定具１を上記貫通孔４ａに装着することができ、上記締結部材１５の操作で上記連結部１４を上記梁フランジ側に引き寄せることで、上記床板４の設置固定が行えることになる。また、作業者は、上記床板４の上側から貫通孔４ａに上記床板固定具１の螺子軸部１１を挿通させた後、上記床板４の下側に移動して上記係合部１３を上記連結部１４に連結し、その場で上記締結部材１５を操作して上記床板４の固定作業が行えることになる。すなわち、作業者が上記床板４の上側に再び移動して上記ナット１２ｂを操作する必要が無く、効率的に固定作業が行えることになる。なお、上記ナット１２ｂを操作する必要が無いので、このナット１２ｂを上記螺子軸部１１に固定してもよく、このように固定する方が、上記係止部１２と連結部１４との距離の不所望な変動の防止の観点から望ましい。上記固定はカシメ固定でもよいし、溶接等を用いた固定とすることもできる。さらに述べれば、上記螺子軸部１１に代えて、螺子の無い単なる軸部を用いて上記固定を実現することもできる。
【００２９】
また、上記床板固定具１は、上記螺子軸部１１と、上記螺子軸部１１の上端側で当該螺子軸部１１に直交する方向に張り出す係止部１２と、上記螺子軸部１１の下端側に設けられており、上記係止部１２よりも張り出し量が小さくされた連結部１４と、上記連結部１４に着脱自在に連結されるとともに、上記梁フランジ３の縁に係合する係合部１３と、この係合部１３に装着されており、上記連結部１４を介して上記係止部１２を上記梁フランジ側に引き寄せる締結部材１５と、を備える。これにより、梁フランジ３の上方に床板４の貫通孔４ａが位置する場合でも、当該床板固定具１を上記貫通孔４ａに装着することができ、上記締結部材１５で上記床板４の固定が行える。また、作業者が上記床板４の上側に再び移動する必要が無く、効率的に固定作業が行えることになる。
【００３０】
上記床板固定具１において、上記締結部材１５が上記上側片１３ａと上記下側片１３ｂとの間隔を変化させるボルト（螺子）からなると、上記ボルトの締め付け操作で上記床板４の設置固定が簡単に行える。
【００３１】
上記床板固定具１において、上記下側片１３ｂが上記締結部材１５を軸に回動可能であると、上記上側片１３ａに対する上記下側片１３ｂの位置をずらすことが可能になり、上記上側片１３ａの真下側に障害となる物（例えば、水平ブレースの固定部等）が存在しても、この障害となる物を避けることができる。
【００３２】
また、上記床板固定具１において、上記上側片１３ａに上記下側片１３ｂの回動範囲を規制する規制部１３ｈが設けられていると、上記上側片１３ａに対する上記下側片１３ｂの位置が過度にずらされるのを防止することができる。
【００３３】
また、上記床板固定具１において、上記カット部１３ｅが当該係合部１３の差し込み方向と交差する方向（上記梁フランジ３の長手方向）に切り込まれていると、上記係合部１３が上記差し込みの方向と反対の方向にずれ落ちようとするのを防止することができる。また、仮に上記カット部１３ｅが上記差し込みの方向と同方向に形成されていると、係合状態が確認し難い箇所での差し込み不良の問題が生じ易いが、上記のようにカット部１３ｅが係合部１３の差し込み方向と交差方向に形成されていると、この交差方向の移動動作も必要になることから、この２つの動作によって、係合不良が生じるのを低減することができる。
【００３４】
図３（Ａ）、図３（Ｂ）、図４（Ａ）、図４（Ｂ）図５（Ａ）、図５（Ｂ）、図６（Ａ）および図６（Ｂ）は、他の実施形態の床板固定具１Ａを示している。この床板固定具１Ａは、先の床板固定具１に比べ、上記カット部１３ｅの長さが長くされているので、上記貫通孔４ａに対する上記係合部１３の配置の自由度が高められている。また、上記下側片１３ｂは、上記カット部１３ｅと形成方向と直交する状態で、その先端側が上記カット部１３ｅにかかるように設けられている。
【００３５】
また、上記下側片１３ｂの回動範囲を規制する規制部１３ｈを、上記上側片１３ａに１箇所形成している。この規制部１３ｈは、上記下側片１３ｂが上記カット部１３ｅの形成方向と直交する状態において、上記カット部１３ｅの終端側で上記下側片１３ｂに接するようになっている。
【００３６】
図７（Ａ）、図７（Ｂ）および図８は、他の形態の床板固定具１Ｂを示している。この床板固定具１Ｂは、先の床板固定具１に比べ、規制部１３ｈの幅（上記カット部１３ｅの形成方向と直交する方向の長さ）が短くされており、上記下側片１３ｂの回動範囲が広くなっている。
【００３７】
図９には、他の形態の床板固定具１Ｃが示されている。この床板固定具１Ｃにおける係合部１３は、上記梁フランジ３の上側に位置する上側片１３ａと、上記梁フランジ３の下側に位置する下側片１３ｂと、これら上側片１３ａと下側片１３ｂを繋ぐ繋ぎ片１３ｃとを備えており、上記締結部材１５は上記下側片１３ｂに設けられたナット部１３ｆに螺合されたボルトからなっている。上記係合部１３は、上記締結部材１５を介して上記梁フランジ３の縁に係合することになる。このような構造でも、上記締結部材１５を操作することで、この締結部材１５の上端部を梁フランジ３の下面に当てて、上記連結部１４を上記梁フランジ３側に引き寄せ、床板４の固定作業が床板４の下側において行うことができる。上記締結部材１５の上端部には緩衝部材が設けられていてもよい。
【００３８】
なお、上記床板固定具１Ｃにおいて、上記締結部材１５を設けず、上記ナット１２ｂを回し、下側片１３ｂの上面を梁フランジ３の下面に圧接させる構成では、上記係止部１２と連結部１４との距離が変化し、係合部１３自体（全体）が上方に移動するため、この係合部１３が床板４の下面に先に当たって固定が適切に行われないおそれがある。上記床板固定具１、１Ａ、１Ｂ、１Ｃを用いた固定では、上記係止部１２と連結部１４との距離が変化しないので、このような固定不備の問題を回避することができる。
【００３９】
また、上記床板固定具１Ｃにおいて、上側片１３ａ或いは下側片１３ｂを繋ぎ片１３ｃに略水平面内で回動可能に設けてもよい。このような構成であると、上記上側片１３ａに対する上記下側片１３ｂの位置をずらすことが可能になり、上記上側片１３ａの真下側に障害となる物が存在しても、この障害となる物を避けることができる。
【００４０】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４１】
１      ：床板固定具
１Ａ    ：床板固定具
１Ｂ    ：床板固定具
１Ｃ    ：床板固定具
３      ：梁フランジ
４      ：床板
４ａ    ：貫通孔
４ｂ    ：座繰り部
５      ：緩衝部材
１１    ：螺子軸部（軸部）
１２    ：係止部
１２ａ  ：座金部
１２ｂ  ：ナット
１３    ：係合部
１３ａ  ：上側片
１３ｂ  ：下側片
１３ｃ  ：繋ぎ片
１３ｄ  ：ゴム板
１３ｅ  ：カット部
１３ｆ  ：ナット部
１３ｈ  ：規制部
１４    ：連結部
１５    ：締結部材
【図１】
0006639903.tif 000002
【図２】
0006639903.tif 000003
【図３】
0006639903.tif 000004
【図４】
0006639903.tif 000005
【図５】
0006639903.tif 000006
【図６】
0006639903.tif 000007
【図７】
0006639903.tif 000008
【図８】
0006639903.tif 000009
【図９】
0006639903.tif 000010